(57)【要約】【課題】群管理から切り離された号機のサービス階を、他の号機に分担させることにより、利用者の輸送力を極力落とすことなく運転できるエレベータ群管理制御方法およびエレベータ群管理制御装置を提供する。【解決手段】旧エレベータを管理する旧群管理制御装置２と、新エレベータを管理する新群管理制御装置１と、新エレベータの乗場呼び入力または旧エレベータの乗場呼び入力を受けて設定された建物のサービス階に応じて、新群管理制御装置１と旧群管理制御装置２に対して乗場登録指令を与え、新エレベータと旧エレベータをグループに分けて運転し、新エレベータと旧エレベータの内のいずれかが群管理から切り離された際に、切り離されたエレベータが分担するサービス階を、切り離されたエレベータ以外の新エレベータと旧エレベータのいずれかに分担を変更する新旧群管理呼び応答制御装置３とを有する。【選択図】図１
2011195209.tif 000002
【特許請求の範囲】
【請求項１】
既存のエレベータである旧エレベータを管理する旧群管理制御装置と、新設されたエレベータである新エレベータを管理する新群管理制御装置と、前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転する新旧群管理呼び応答制御装置を有するエレベータ制御装置により、前記新エレベータと前記旧エレベータを群管理制御する群管理制御方法であって、
前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更することを特徴とするエレベータ群管理制御方法。
【請求項２】
前記旧エレベータの１台もしくは複数台が群管理から切り離された際には、前記切り離された前記旧エレベータが分担する前記サービス階を、前記新エレベータの１台もしくは複数台に分担を変更することを特徴とする請求項１に記載のエレベータ群管理制御方法。
【請求項３】
前記新エレベータの１台もしくは複数台が群管理から切り離された際には、前記切り離された前記新エレベータが分担する前記サービス階を、前記旧エレベータの１台もしくは複数台に分担を変更することを特徴とする請求項１に記載のエレベータ群管理制御方法。
【請求項４】
前記旧エレベータが切り離された時に前記新旧群管理呼び応答制御装置に入力される切離信号により、前記新エレベータと前記旧エレベータの台数比率を判断し、前記台数比率に応じた前記新エレベータと前記旧エレベータが分担する前記サービス階を、前記新旧群管理呼び応答制御装置に設定された複数のホール呼び登録パターンから選択することを特徴とする請求項１に記載のエレベータ群管理制御方法。
【請求項５】
既存のエレベータである旧エレベータを管理する旧群管理制御装置と、
新設されたエレベータである新エレベータを管理する新群管理制御装置と、
前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転し、前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更する新旧群管理呼び応答制御装置と、
を有することを特徴とするエレベータ群管理制御装置。
【発明の詳細な説明】
【技術分野】
【０００１】
本発明は、エレベータの群管理制御装置およびエレベータの群管理制御運転方法に関し、特に例えば群管理されたエレベータのリニューアル工事期間中に、複数台の新旧エレベータの乗場呼び登録を連動させるエレベータの群管理制御方法およびエレベータの群管理制御運転装置に関する。
【背景技術】
【０００２】
複数台のエレベータを有する群管理システムでは、リニューアル工事期間中は、新設されたエレベータ（以下、新エレベータという）と既存のエレベータ（旧エレベータという）が混在した状態になっている。このような複数台の新旧エレベータを運転制御する方法が、特許文献１に開示されている。
【０００３】
特許文献１では、新エレベータ側の乗場呼びボタンが操作された時に、新群管理分担ゾーン設定部によって設定された新エレベータの分担情報に基づいて、新群管理側で応答すべきか否かを判断して、新エレベータを割り当てる。また、旧エレベータ側の乗場呼びボタンが操作された時に、旧群管理分担ゾーン設定部によって設定された旧エレベータの分担情報に基づいて、旧群管理側で応答すべきか否かを判断して、旧エレベータを割り当てる。これにより、既存のエレベータ群管理システムに特殊な改造や処理の変更をしないで、新旧エレベータが混在した状態での効率的な運転を実現している。
【０００４】
また、朝の出勤時、昼休み時間、そして退社時間等の特定の階が混雑するような場合には、新エレベータ側の乗場呼びボタンまたは旧エレベータ側の乗場呼びボタンからの呼び入力を受けて、予め各新旧群管理制御装置の分担ゾーン設定部に設定された分担情報に応じて、新群管理制御装置と旧群管理制御装置に対して乗場呼び登録指令を与え、ある特定時間または外部からの切り替え信号により、複数台の新旧エレベータを、サービス階を２つのグループに分けて運転する分割運転に切り替えて運転している。
【先行技術文献】
【特許文献】
【０００５】
【特許文献１】特開２００６―１８８２９６号公報
【発明の概要】
【発明が解決しようとする課題】
【０００６】
ところが、従来の新旧の複数台のエレベータが混在するエレベータ群管理システムでは、専用運転（独立運転）やエレベータの点検保守や故障により、群管理から切り離された号機が存在することがある。この場合には、群管理から切り離された号機を分担ゾーン設定部に設定しているサービス階は、群管理から切り離された号機によるサービスを受けられなくなり、そのサービス階においては利用者の輸送力が低下してしまうことがある。
【０００７】
本発明は、上記に鑑みてなされたものであり、その目的は群管理から切り離された号機が存在する場合に、新群管理制御装置により運行管理された新エレベータもしくは旧群管理制御装置により運行管理された旧エレベータの分担ゾーン設定を変更して、群管理から切り離された号機のサービス階を、他の号機に分担させることにより、利用者の輸送力を極力落とすことなく運転できるエレベータ群管理制御方法およびエレベータ群管理制御装置を提供することである。
【課題を解決するための手段】
【０００８】
本発明のエレベータ群管理制御方法は、既存のエレベータである旧エレベータを管理する旧群管理制御装置と、新設されたエレベータである新エレベータを管理する新群管理制御装置と、前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転する新旧群管理呼び応答制御装置を有するエレベータ制御装置により、前記新エレベータと前記旧エレベータを群管理制御する群管理制御方法であって、
前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更することを特徴とする。
【０００９】
本発明のエレベータ群管理制御装置は、既存のエレベータである旧エレベータを管理する旧群管理制御装置と、新設されたエレベータである新エレベータを管理する新群管理制御装置と、
前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転し、前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更する新旧群管理呼び応答制御装置と、を有することを特徴とする。
【発明の効果】
【００１０】
本発明によれば、群管理から切り離された号機が存在する場合に、新群管理制御装置により運行管理された新エレベータもしくは旧群管理制御装置により運行管理された旧エレベータの分担ゾーン設定を変更して、群管理から切り離された号機のサービス階を、他の号機に分担させることにより、利用者の輸送力を極力落とすことなく運転できるエレベータ群管理制御方法およびエレベータ群管理制御装置を提供することができる。
【図面の簡単な説明】
【００１１】
【図１】本発明のエレベータ群管理制御方法の実施形態１を実施するためのエレベータ群管理制御装置の例を示す図である。
【図２】本発明の実施形態１における平常時のホール呼び登録の分担階の例を示図である。
【図３】本発明の実施形態１におけるサービス階が変更された後の分担階の例を示す図である。
【図４】本発明のエレベータ群管理制御方法の実施形態２を実施するためのエレベータ群管理制御装置の例を示す図である。
【図５】本発明の実施形態２における平常時のホール呼び登録の分担階の例を示す図である。
【図６】本発明の実施形態２におけるサービス階が変更された後の分担階の例を示す図である。
【図７】本発明のエレベータ群管理制御方法の実施形態３を実施するためのエレベータ群管理制御装置の例を示す図である。
【図８】本発明の実施形態３における平常時のホール呼び登録の分担階の例を示す図である。
【図９】本発明の実施形態３におけるサービス階が変更された後の分担階の例を示す図である。
【発明を実施するための形態】
【００１２】
本発明の実施形態について図面を参照して説明する。
【００１３】
（実施形態１）  
図１は、本発明のエレベータ群管理制御方法の実施形態１を実施するためのエレベータ群管理制御装置の例を示している。
【００１４】
図１に示すように、エレベータ群管理制御装置５は、新群管理制御装置１と、旧群管理制御装置２と、新旧群管理呼び応答制御装置３と、分割運転切替信号発生部４とを備えている。
【００１５】
新群管理制御装置１と旧群管理制御装置２と分割運転切替信号発生部４は、新旧群管理呼び応答制御装置３に対して電気的に接続されている。新エレベータの運転制御は、新群管理制御装置１により行っている。旧エレベータの運転制御は、旧群管理制御装置２により行っている。すなわち、図１の実施形態１では、例えば２つの新エレベータＡ号機制御盤６および新エレベータＢ号機制御盤７は、新群管理制御装置１による呼びに対して制御され、１つの旧エレベータＣ号機制御盤８は、旧群管理制御装置２による呼びに対して制御されている。なお、図１の「ＥＬ」は、エレベータを示す。
【００１６】
図１に示す分割運転切替信号発生部４は、例えばタイマーによる自動的な切り替え操作により、ある特定のエレベータが混雑する時間、具体的には例えば朝の出勤時、昼休み時間、退社時等の時間帯に、新旧群管理呼び応答制御装置３に対して分割運転切替信号９を与えることができる。あるいは、分割運転切替信号発生部４は、例えば建物の管理者の手動による任意の外部からの切り替え操作により、例えば朝の出勤時、昼休み時間、退社時等のエレベータが混雑する時に、新旧群管理呼び応答制御装置３に対して分割運転切替信号９を与えることができる。
【００１７】
図１に示すように、新群管理制御装置１には、乗場ボタンとしてのホール呼び新ボタン１０が電気的に接続されている。旧群管理制御装置２には、乗場ボタンとしてのホール呼び旧ボタン１１が電気的に接続されている。エレベータのホール呼び新ボタン１０のホール呼び入力信号は、新群管理制御装置１に入力され、さらに新旧群管理呼び応答制御装置３に入力される。また、ホール呼び旧ボタン１１のホール呼び入力信号は、旧群管理制御装置２に入力され、さらに新旧群管理呼び応答制御装置３に入力される。なお、ホールは乗場ともいい、例えばホール呼びは乗場呼びともいう。
【００１８】
利用者により新エレベータの乗場ボタンまたは旧エレベータの乗場ボタンからのホール呼び入力信号があり、利用者によりホール呼び登録が行われると、新旧群管理呼び応答制御装置３は、新群管理制御装置１に対して、乗場呼び登録指令１２を切り替えて送出するととともに、旧群管理制御装置２に対して、乗場呼び登録指令１３を切り替えて送出する。このようにして、新旧群管理呼び応答制御装置３は、新旧群管理呼び応答制御装置３内に予め設定されている新エレベータまたは旧エレベータまたは新旧エレベータの両方のいずれかに、エレベータがホール呼び登録されたサービス階床に応答させて、上述したある特定の時間または外部からの切替による分割運転切替信号９により、複数台の前記新旧エレベータを２つのグループに分けて運転する分割運転動作に切り替えて運転するようになっている。
【００１９】
図２は、本発明の実施形態１における平常時のホール呼び登録の分担階の例を示している。
【００２０】
図２においては、図１に示すエレベータ群管理制御装置５が、新エレベータＡ号機制御盤６と新エレベータＢ号機制御盤７と旧エレベータＣ号機制御盤８の合計３台の新旧エレベータを群管理制御する場合に、平常時におけるホール呼び登録の分担階の例を示している。この平常時とは、利用者が多く利用する混雑時、例えば朝の出勤時、昼休み時間、退社時等のエレベータが混雑する混雑時間帯を除いた比較的利用者の利用が少ない時間帯である。
【００２１】
図２には、利用者によりホール呼び入力がされて、このホール呼び入力の登録が行われると、新旧群管理呼び応答制御装置３内に予め設定されている新エレベータまたは旧エレベータまたは新旧エレベータの両方のいずれかに対して、エレベータの呼び登録されたサービス階床に応答させるようにしたホール呼び登録パターン例を示す。図２に示す上下の三角形のマークは、どの新旧エレベータがホール呼び登録に応答するかの分担階を示している。▲マークは上方向ホール呼びを示し、▼マークは下方向ホール呼びを示す。上下の三角形のマークは、後で説明する他の各実施形態においても使用する。
【００２２】
図２に示す建物は、１階から２０階を有する高層建物であり、ホール呼び新ボタン１０の新エレベータＡ号機制御盤６と新エレベータＢ号機制御盤７と、ホール呼び旧ボタン１１の旧エレベータＣ号機制御盤８が、ホール呼び登録分担を行う。
【００２３】
図２に示すように、１階、１０階、そして２０階は、新旧エレベータの全てが応答する階である。２階〜９階と１１階〜１６階は、新エレベータＡ号機制御盤６と新エレベータＢ号機制御盤７が応答する階である。１７階〜１９階は、旧エレベータＣ号機制御盤８が応答する階である。
【００２４】
例えば、１階では、ホール呼び新ボタン１０を押してもホール呼び旧ボタン１１を押しても新旧エレベータである新エレベータＡ号機制御盤６と新エレベータＢ号機制御盤７と旧エレベータＣ号機制御盤８のいずれかが応答して乗りかごが１階に来る。このことは、１０階および２０階についても同様である。
【００２５】
６階では、ホール呼び旧ボタン１１を押してもホール呼び新ボタン１０を押しても、新エレベータＡ号機制御盤６と新エレベータＢ号機制御盤７が応答して乗りかごが６階に来ることになる。このことは、２階〜９階および１１階〜１６階についても同様である。
【００２６】
１９階では、ホール呼び新ボタン１０を押してもホール呼び旧ボタン１１を押しても、旧エレベータＣ号機制御盤８が応答して乗りかごが１９階に来るようになっている。このことは、１７階と１８階についても同様である。
【００２７】
次に、図１〜図３を参照して、エレベータ群管理制御装置５によるエレベータ群管理制御方法を説明する。
【００２８】
図２に示すような平常時のホール呼び登録分担の場合に、例えば図１の旧エレベータＣ号機制御盤８が専用運転（独立運転ともいう）や、エレベータの保守点検や故障により、群管理から切り離された状態になった場合を説明する。この場合には、１７階〜１９階は、旧エレベータＣ号機制御盤８のサービス階であるために、ホール呼びを登録しても新エレベータＡ号機制御盤６と新エレベータＢ号機制御盤７は応答しないことから、利用者の輸送力が低下してしまう。
【００２９】
そこで、上述した１７階〜１９階における利用者の輸送力の低下を防止するために、新群管理制御装置１の分担ゾーン設定部に設定されている新群管理のサービス階とは別のデータとして、旧群管理のサービス階を設定する。
【００３０】
図１の旧群管理制御装置２により管理されている旧エレベータＣ号機制御盤８が専用運転（独立運転）や、エレベータの保守点検や故障になった場合には、旧エレベータＣ号機制御盤８より群管理切離信号１４を、新群管理制御装置１と新旧群管理呼び応答制御装置３に入力することにより、旧エレベータＣ号機制御盤８がエレベータ群管理制御装置５から切り離されたことを新群管理制御装置１と新旧群管理呼び応答制御装置３に通知する。
【００３１】
図３は、サービス階が変更された後のホール呼び登録パターンを示している。図１の新群管理制御装置１と新旧群管理呼び応答制御装置３が、群管理切離信号１４を入力すると、図３に示すように、旧エレベータＣ号機制御盤８のサービス階である１７階〜１９階を、新エレベータＢ号機制御盤７に分担させるように予め新群管理制御装置１の分担ゾーン設定部に設定された旧群管理制御装置２の分担ゾーンのデータを基にして、新エレベータＢ号機制御盤７のサービス階を変更する。このように、図３に示すサービス階が変更された後のホール呼び登録パターンでは、新エレベータＢ号機制御盤７が、旧エレベータＣ号機制御盤８の分担ゾーンであった１７階〜１９階のホール呼びに対する応答を引き継ぐことになる。
【００３２】
上述した本発明の実施形態１では、旧エレベータＣ号機制御盤８がエレベータ群管理制御装置５から切り離され、旧エレベータＣ号機制御盤８が分担していたサービス階への応答ができなくなった場合においても、新エレベータＢ号機制御盤７が、旧エレベータＣ号機制御盤８に代わって応答することで、利用客の輸送力の低下を極力落とすことなく運転することができる。
【００３３】
なお、上述したように、旧エレベータＣ号機制御盤８が分担していたサービス階を、新エレベータＢ号機制御盤７に分担させることにしているが、新エレベータＡ号機制御盤６に分担させることともしても同様の効果が得られる。
【００３４】
次に、図４〜図９を参照して本発明の別の実施形態２と実施形態３を説明する。これらの実施形態２，３のエレベータ群管理制御装置５Ｂ、５Ｃの構成要素が、図１に示すエレベータ群管理制御装置５の構成要素と同様である場合には、同じ符号を記してその説明を用いる。
【００３５】
（実施形態２）  
次に、図４〜図６を参照して本発明のエレベータ群管理制御方法の実施形態２を説明する。
【００３６】
図４は、本発明のエレベータ群管理制御方法の実施形態２を実施するためのエレベータ群管理制御装置の例を示している。図５は、本発明の実施形態２における平常時のホール呼び登録の分担階の例を示している。図６は、本発明の実施形態２におけるサービス階を変更した後の分担階の例を示している。
【００３７】
図４には、エレベータ群管理制御装置５Ｂを示しており、２つの旧エレベータＡ号機制御盤１６および旧エレベータＢ号機制御盤１７は、エレベータ群管理制御装置５Ｂの旧群管理制御装置２による呼びに対して制御され、１つの新エレベータＣ号機制御盤１８は、エレベータ群管理制御装置５Ｂの新群管理制御装置１による呼びに対して制御されている。旧群管理制御装置２は、ホール呼び旧ボタン１１と２つの旧エレベータＡ号機制御盤１６および旧エレベータＢ号機制御盤１７を電気的に接続し、新群管理制御装置１は、ホール呼び新ボタン１０と１つの新エレベータＣ号機制御盤１８を電気的に接続している。このように、ホール呼び旧ボタン１１に対して２台の旧エレベータを対応させ、ホール呼び新ボタン１０に対して１台の新エレベータを対応させている。
【００３８】
図４に示す実施形態２では、新エレベータＣ号機制御盤１８が専用運転（独立運転）や、エレベータの保守点検や故障により、群管理から切り離された状態になると、図５に示すように、１７階〜１９階は新エレベータＣ号機制御盤１８のサービス階であるために、利用客がホール呼びを登録しても２つの旧エレベータＡ号機制御盤１６および旧エレベータＢ号機制御盤１７は応答しないことから、利用客の輸送力が低下する。
【００３９】
そこで、１７階〜１９階における利用客の輸送力の低下を防ぐために、図４の新エレベータＣ号機制御盤１８が専用運転（独立運転）や、エレベータの保守点検や故障になった場合には、新エレベータＣ号機制御盤１８より群管理切離信号１４を、旧群管理制御装置２と新旧群管理呼び応答制御装置３に入力することにより、新エレベータＣ号機制御盤１８がエレベータ群管理制御装置５から切り離されたことを旧群管理制御装置２と新旧群管理呼び応答制御装置３に通知する。
【００４０】
新旧群管理呼び応答制御装置３が、群管理切離信号１４を入力すると、図５に示す平常時の状態から図６に示す変更後の状態に、新エレベータＣ号機制御盤１８のサービス階を、旧エレベータＢ号機制御盤１７に分担させるように、新旧群管理呼び応答制御装置３の分担ゾーン設定部に設定された新群管理制御装置１の分担ゾーンのデータを基に、新エレベータＣ号機制御盤１８のサービス階を変更する。このように、図６に示すサービス階変更後の分担階の例では、新エレベータＣ号機制御盤１８の分担ゾーンであった１７階〜１９階のホール呼び新ボタン１０のホール呼びに対する応答を、旧エレベータＢ号機制御盤１７が引き継ぐことになる。
【００４１】
上述した本発明の実施形態２では、新エレベータＣ号機制御盤１８がエレベータ群管理制御装置５から切り離され、新エレベータＣ号機制御盤１８が分担していたサービス階への応答ができなくなった場合においても、旧エレベータＢ号機制御盤１７が、新エレベータＣ号機制御盤１８に代わって応答することで、利用客の輸送力の低下を極力落とすことなく運転することができる。
【００４２】
なお、上述したように、新エレベータＣ号機制御盤１８が分担していたサービス階を、旧エレベータＢ号機制御盤１７に分担させることにしているが、旧エレベータＡ号機制御盤１６に分担させることともしても同様の効果が得られる。
【００４３】
（実施形態３）  
次に、図７〜図９を参照して本発明の実施形態３を説明する。
【００４４】
図７は、本発明のエレベータ群管理制御方法の実施形態３を実施するためのエレベータ群管理制御装置の例を示している。図８は、本発明の実施形態３における平常時のホール呼び登録の分担階の例を示している。図９は、本発明の実施形態３におけるサービス階を変更した後の分担階の例を示している。
【００４５】
図７には、エレベータ群管理制御装置５Ｃを示しており、元々旧エレベータが３台であった構成から、すでに図示しない旧エレベータＡ号機制御盤を新エレベータＡ号機制御盤２５にリニューアルした状態を示している。そして、最終的には、さらに旧エレベータＢ号機制御盤２６、旧エレベータＣ号機制御盤２７の順序で全てを新エレベータにリニューアルすることになる。
【００４６】
図７に示す旧エレベータ切離信号２８が、旧エレベータＢ号機制御盤２６から旧群管理制御装置２と新旧群管理呼び応答制御装置３に対して、電気的に接続されている。旧エレベータ切離信号２８は、旧エレベータＢ号機制御盤２６がエレベータ群管理制御装置５Ｃから切り離されていない通常時には有電圧であるが、エレベータ群管理制御装置５Ｃから切り離された状態では無電圧となる信号である。
【００４７】
図７の新旧群管理呼び応答制御装置３には、エレベータ群管理制御装置５Ｃにより管理されている新エレベータと旧エレベータの台数比率より決めるホール呼び登録パターンが設定されている。新エレベータと旧エレベータの台数比率は、新エレベータへのリニューアルを実施していく過程で変化していく。図７の状態では、新エレベータと旧エレベータの台数比率は１：２であるが、その後２：１、そして３：０に変化していくことになる。
【００４８】
そこで、新旧群管理呼び応答制御装置３には、リニューアル期間中の新エレベータと旧エレベータの組み合わせパターン数に応じて、図８および図９に示すような複数のホール呼び登録パターンを予め設定しておく。
【００４９】
図７に示すように、旧エレベータ切離信号２８は、旧エレベータＢ号機制御盤２６から新旧群管理呼び応答制御装置３に接続されている。旧エレベータＢ号機制御盤２６を新エレベータにリニューアルすることにより、この旧エレベータ切離信号２８は撤去されて無電圧になる。このように、新旧群管理呼び応答制御装置３は、旧エレベータ切離信号２８の入力が無くなることにより、旧エレベータＢ号機制御盤２６が新エレベータにリニューアルされたと判断して、新旧群管理呼び応答制御装置３は新エレベータ２台と旧エレベータ１台の構成となったことを認識する。
【００５０】
さらに、新旧群管理呼び応答制御装置３は、この２台の新エレベータと１台の旧エレベータの台数比率に応じて、予め設定されている複数のホール呼び登録パターンを選択して、新エレベータと旧エレベータのサービス階の分担を、図８の状態から図９の状態に変更して制御することができる。
【００５１】
すなわち、３台で構成される内の１台を新エレベータにリニューアルした場合に、リニューアルした新エレベータＡ号機制御盤２５は、新群管理制御装置１により制御され、旧エレベータＢ号機制御盤２６および旧エレベータＣ号機制御盤２７は、旧群管理制御装置２により制御されている状況にある。新エレベータＡ号機制御盤２５は、１台単独で運行しているため、他の旧エレベータＢ号機制御盤２６および旧エレベータＣ号機制御盤２７より、ホール呼びの割り当てを少なくした方が、効率的に運行することができる。そのため、新エレベータが１台の場合に、予めホール呼び登録パターンを少なく割り当てるように設定しておく。２台を効率よく運行できる群管理構成となっている旧エレベータにホール呼びを多く割り当てる。
【００５２】
旧エレベータＢ号機制御盤２６を新エレベータにリニューアルすると、新エレベータが２台の群管理構成となるため、図９のように、新エレベータにホール呼びを多く割り当てるように、予め登録されている複数のホール呼び登録パターンから選択して、運行制御をする。
【００５３】
上述した例では、３台の構成について説明してきたが、４台構成で２台の新エレベータと２台の旧エレベータのような状態においては、旧群管理制御装置２より新群管理制御装置１の方が、一般的に技術の進歩により効率的に運行が可能であることから、新群管理制御装置１により制御される新エレベータにホール呼びの割り当てを多く設定する。
【００５４】
上述した本発明の実施形態３では、旧エレベータから新エレベータへのリニューアルの進行状況により、新エレベータと旧エレベータの台数比率が変化しても、新旧群管理呼び応答制御装置３に予め設定されているホール呼び登録パターンを変更することなく、リニューアル工事の進行状況に応じて、ホール呼び登録パターンが自動的に最適なパターンとなり、工事作業の効率化が図れる。
【００５５】
本発明のエレベータ群管理制御方法は、既存のエレベータである旧エレベータを管理する旧群管理制御装置と、新設されたエレベータである新エレベータを管理する新群管理制御装置と、前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転する新旧群管理呼び応答制御装置を有するエレベータ制御装置により、前記新エレベータと前記旧エレベータを群管理制御する群管理制御方法であって、前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更することを特徴とする。上記構成により、群管理から切り離された号機が存在する場合に、新群管理制御装置により運行管理された新エレベータもしくは旧群管理制御装置により運行管理された旧エレベータの分担ゾーン設定を変更して、群管理から切り離された号機のサービス階を、他の号機に分担させることにより、利用者の輸送力を極力落とすことなく運転できる。
【００５６】
本発明のエレベータ群管理制御方法では、前記旧エレベータの１台もしくは複数台が群管理から切り離された際には、前記切り離された前記旧エレベータが分担する前記サービス階を、前記新エレベータの１台もしくは複数台に分担を変更することを特徴とする。上記構成により、リニューアル工事中に、旧エレベータが群管理から外された時に、この旧エレベータの分担するサービス階は、新エレベータに分担できるので、利用者の輸送力を極力落とすことなく運転できる。
【００５７】
本発明のエレベータ群管理制御方法では、前記新エレベータの１台もしくは複数台が群管理から切り離された際には、前記切り離された前記新エレベータが分担する前記サービス階を、前記旧エレベータの１台もしくは複数台に分担を変更することを特徴とする。上記構成により、リニューアル工事中に、新エレベータが群管理から外された時に、この新エレベータの分担するサービス階は、旧エレベータに分担できるので、利用者の輸送力を極力落とすことなく運転できる。
【００５８】
本発明のエレベータ群管理制御方法では、前記旧エレベータが切り離された時に前記新旧群管理呼び応答制御装置に入力される切離信号により、前記新エレベータと前記旧エレベータの台数比率を判断し、前記台数比率に応じた前記新エレベータと前記旧エレベータが分担する前記サービス階を、前記新旧群管理呼び応答制御装置に設定された複数のホール呼び登録パターンから選択することを特徴とする。上記構成により、リニューアル工事中に、新エレベータと旧エレベータの台数比率に応じてサービス階を分担できるので、利用者の輸送力を極力落とすことなく運転できる。
【００５９】
本発明のエレベータ群管理制御装置は、既存のエレベータである旧エレベータを管理する旧群管理制御装置と、新設されたエレベータである新エレベータを管理する新群管理制御装置と、前記新エレベータの乗場呼び入力または前記旧エレベータの乗場呼び入力を受けて設定された建物のサービス階に応じて、前記新群管理制御装置と前記旧群管理制御装置に対して乗場登録指令を与え、前記新エレベータと前記旧エレベータをグループに分けて運転し、前記新エレベータと前記旧エレベータの内のいずれかが群管理から切り離された際に、前記切り離された前記エレベータが分担する前記サービス階を、前記切り離された前記エレベータ以外の前記新エレベータと前記旧エレベータのいずれかに分担を変更する新旧群管理呼び応答制御装置と、を有することを特徴とする。上記構成により、群管理から切り離された号機が存在する場合に、新群管理制御装置により運行管理された新エレベータもしくは旧群管理制御装置により運行管理された旧エレベータの分担ゾーン設定を変更して、群管理から切り離された号機のサービス階を、他の号機に分担させることにより、利用者の輸送力を極力落とすことなく運転できる。
【００６０】
本発明は、上記実施形態に限定されない。
【００６１】
図示例では、本発明のエレベータ群制御装置は、３台の新旧エレベータを例にして説明しているが、これに限らず例えば、４台以上の新旧エレベータを備えている場合であっても良い。
【００６２】
さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００６３】
１              新群管理制御装置
２              旧群管理制御装置
３              新旧群管理呼び応答制御装置
４              分割運転切替信号発生部
５，５Ｂ，５Ｃ  エレベータ群管理制御装置
６              新エレベータＡ号機制御盤
７              新エレベータＢ号機制御盤
８              旧エレベータＣ号機制御盤
９              分割運転切替信号
１０            乗場ボタンとしてのホール呼び新ボタン
１１            乗場ボタンとしてのホール呼び旧ボタン
１２，１３      乗場呼び登録指令
【図１】
2011195209.tif 000003
【図２】
2011195209.tif 000004
【図３】
2011195209.tif 000005
【図４】
2011195209.tif 000006
【図５】
2011195209.tif 000007
【図６】
2011195209.tif 000008
【図７】
2011195209.tif 000009
【図８】
2011195209.tif 000010
【図９】
2011195209.tif 000011